(57)【要約】【課題】玩具本体の動作を再生機器の再生に合わせて行うことができる動作玩具を提供すること。【解決手段】玩具本体側で操作子を操作することによって動作装置が行う動作は、再生機器で再生される複数のシーンの中の特定シーンに関連する模擬動作となっており、前記玩具本体は、玩具本体側で操作子を操作した時にその操作信号に対応する赤外線信号を再生機器に送信し、再生機器は、その赤外線信号に基づいてシーンを特定シーンに切り替えるとともに、特定シーンの再生に同期させて動作装置を動作させるための前記音透かしが埋め込まれた音響信号を前記音出力部から出力する。【選択図】図４
2019208544.tif 000002
【特許請求の範囲】
【請求項１】
赤外線受信部と、チャプタによって区切られたシーンのデータを読み出して音付きの画像として再生する表示部及び音出力部とを有する再生機器と、
所定の動作を行う動作装置と、人為的操作可能な操作子と、音響信号を電気信号に変換可能なマイクロホンと、前記操作子の操作に対応した操作信号を赤外線信号にして前記再生機器に向けて送信する赤外線送信部とを有する玩具本体とを備え、
前記再生機器の前記表示部及び前記音出力部で再生されるシーンには複数のシーンが含まれ、
前記玩具本体の動作は、前記複数のシーンの中の特定シーンに関連する動作であり、
前記再生機器は、前記赤外線受信部で受信した前記赤外線信号に基づいてシーンを前記特定シーンに切り替えるとともに、前記特定シーンの再生に同期させて前記動作装置を動作させるための前記音透かしが埋め込まれた音響信号を前記音出力部から出力することを特徴とする動作玩具。
【請求項２】
前記再生機器は、切り替え前のシーンにおいて遊戯者に対して前記操作子の操作を促すことを特徴とする請求項１に記載の動作玩具。
【請求項３】
前記玩具本体は、前記特定シーン中で動作する動作物体に似せた模造部分を有し、前記模造部分は、前記動作物体の動作に関連する模擬動作を行うことを特徴とする請求項１又は請求項２に記載の動作玩具。
【請求項４】
前記模造部分には前記操作子が含まれていることを特徴とする請求項３に記載の動作玩具。
【請求項５】
前記特定シーンには放水ノズルによる放水動作が含まれ、前記模造部分は、放水銃の形をしており前記放水動作中に振動することを特徴とする請求項３又は請求項４に記載の動作玩具。
【請求項６】
前記放水銃にはハンドルが付設され、前記ハンドルは前記操作子を構成していることを特徴とする請求項５に記載の動作玩具。
【発明の詳細な説明】
【技術分野】
【０００１】
本発明は、動作玩具に関するものである。
【背景技術】
【０００２】
従来、テレビに接続されるユニットと、携帯電話機玩具とを備え、前記ユニットは、赤外線送受信手段と、映像データを予め記憶した記憶手段と、これらの手段を制御する制御手段とを有し、また、前記携帯電話機玩具は、赤外線送受信手段と、音声データを予め記憶した記憶手段と、これらの手段を制御する制御手段とを有し、前記ユニットと携帯電話機玩具との間で赤外線信号の送受信をすることにより双方向で通信可能なテレビ電話玩具が知られている(例えば、特許文献１参照)。
【先行技術文献】
【特許文献】
【０００３】
【特許文献１】特開２００３−３３５８５号公報
【発明の概要】
【発明が解決しようとする課題】
【０００４】
しかしながら、前記テレビ電話玩具で遊ぶには、テレビ、ＤＶＤ再生装置、パソコン等の再生機器と携帯電話機玩具との双方に赤外線送信部及び赤外線受信部を設けることが必要となる。そのため、赤外線送信部を有していない再生機器では手軽に遊べないという問題があった。
一方で、玩具本体側(例えば、前記携帯電話機玩具)だけが赤外線送信部を持ち、この赤外線送信部からの赤外線信号を送信し、再生機器上の音付き画像を制御するだけのものでは、遊びが限定されてしまう。
また、玩具本体側だけが赤外線送信部を持ち、玩具本体側では操作子の操作によって所定の動作部を動作させる一方で、当該操作子の操作に基づく操作信号を赤外線信号として再生機器に送信し、再生機器側で所定の記憶媒体からチャプタによって区切られた当該操作信号に対応するシーンをその都度読み出して再生するものでは、前記操作子の操作に対応するシーンのデータの読み出しに時間がかかり、玩具本体の動作部の動作と当該動作に対応するシーンの再生との間に大きなずれが生じてしまい興趣性を損ねるという問題があった。この場合、玩具本体側で操作子の操作と動作部の動作との間に時差を設けることが考えられるが、使用する再生機器毎のスペックの違いから再生までのラグが違うため、ずれの問題を根本的に解消することは困難である。
本発明は、かかる問題点に鑑みなされたもので、玩具本体の動作を再生機器の再生に合わせて行うことができる動作玩具を提供することを目的とする。
【課題を解決するための手段】
【０００５】
第１の手段は、
赤外線受信部と、チャプタによって区切られたシーンのデータを読み出して音付きの画像として再生する表示部及び音出力部とを有する再生機器と、
所定の動作を行う動作装置と、人為的操作可能な操作子と、音響信号を電気信号に変換可能なマイクロホンと、前記操作子の操作に対応した操作信号を赤外線信号にして前記再生機器に向けて送信する赤外線送信部とを有する玩具本体とを備え、
前記再生機器の前記表示部及び前記音出力部で再生されるシーンには複数のシーンが含まれ、
前記玩具本体の動作は、前記複数のシーンの中の特定シーンに関連する動作であり、
前記再生機器は、前記赤外線受信部で受信した前記赤外線信号に基づいてシーンを前記特定シーンに切り替えるとともに、前記特定シーンの再生に同期させて前記動作装置を動作させるための前記音透かしが埋め込まれた音響信号を前記音出力部から出力することを特徴とする。
所定の動作装置を動作させるには、音透かしによる信号を同期信号だけとし、玩具本体の操作子が操作されたときには、玩具本体側では当該所定の動作装置に対応するフラグを立てておくなどして、音透かしの同期信号を受信したときに、当該フラグを立てておいた所定の動作装置を動作させてもよいし、音透かしによる信号に同期信号の他に制御対象特定信号や制御内容信号とを含ませておき、所定の動作装置を動作させてもよい。或いは、同期が生じるタイミングで制御対象特定信号や制御内容信号だけを音透かしの信号として送信するようにしてもよい。同期信号としては受信後直ちに動作装置を動作させるためのものであっても良いし、受信後所定時間経過後に動作装置を動作させるためのものであってもよい。
【０００６】
第２の手段は、第１の手段において、前記再生機器は、切り替え前のシーンにおいて遊戯者に対して前記操作子の操作を促すことを特徴とする。
【０００７】
第３の手段は、第１の手段又は第２の手段において、前記玩具本体は、前記特定シーン中で動作する動作物体に似せた模造部分を有し、前記模造部分は、前記動作物体の動作に関連する模擬動作を行うことを特徴とする。
【０００８】
第４の手段は、第３の手段において、前記模造部分には前記操作子が含まれていることを特徴とする。
【０００９】
第５の手段は、第３の手段又は第４の手段において、前記特定シーンには放水ノズルによる放水動作が含まれ、前記模造部分は、放水銃の形をしており前記放水動作中に振動することを特徴とする。
【００１０】
第６の手段は、第５の手段において、前記放水銃にはハンドルが付設され、前記ハンドルは前記操作子を構成していることを特徴とする。
【発明の効果】
【００１１】
第１の手段によれば、玩具本体の動作装置は操作部を操作した後直ちに動作するのではなく、再生機器で出力される音に含まれる音透かしを入力したときに、特定シーンの再生に同期させて所定の動作を行うので、違和感なく、興趣性の高い動作玩具を実現することができる。
【００１２】
第２の手段によれば、操作子の操作のタイミングを遊戯者が知ることができるので、シミュレーションを円滑に進めることができる。
【００１３】
第３の手段によれば、特定シーン中で動作する動作物体に似せた模造部分が動作するので、表示部及び音出力部で展開されるシーンにより深く入り込むことができる。
【００１４】
第４の手段によれば、模造部分には操作子が含まれているので、表示部及び音出力部で展開されるシーンにより深く入り込むことができる。
【００１５】
第５の手段によれば、表示部及び音出力部で展開される放水シーンを体感することができる。
【００１６】
第６の手段によれば、ハンドルを操作するので、より放水シーンを体感することができる。
【図面の簡単な説明】
【００１７】
【図１】実施形態の動作玩具の外観を示した斜視図である。
【図２】本動作玩具の玩具本体の制御構成を示したブロック図である。
【図３】本動作玩具の再生機器の制御構成を示したブロック図である。
【図４】本玩具本体と本再生機器の信号のやり取り等を示した図である。
【図５】本再生機器で再生された火災発生画像を示した図である。
【図６】本再生機器で再生された消防車出動画像を示した図である。
【図７】本再生機器で再生されたボイスボタン催促画像を示した図である。
【図８】本再生機器で再生されたハンドル操作１催促画像を示した図である。
【図９】本再生機器で再生された放水１画像を示した図である。
【図１０】本再生機器で再生されたハンドル操作２催促画像を示した図である。
【図１１】本再生機器で再生されたハンドル操作２催促画像を示した図である。
【発明を実施するための形態】
【００１８】
本動作玩具１００は玩具本体１０と再生機器２０とを備えている。
玩具本体１０は消防車の形をしており、車体１０ａの左側には片手で握れる程度のグリップ付きの放水銃１０ｂがフック（図示せず）を介して着脱可能に取り付けられている。
放水銃１０ｂはホース状の紐１０ｃを介して車体１０ａに連結されている。図１では実際には繋がっている紐１０ｃの途中部分を切り欠いて表示している。
放水銃１０ｂにはレバー型のハンドル１０ｈが取り付けられている。このハンドル１０ｈは銃本体に対して回動操作可能に構成されている。また、放水銃１０ｂの内部には赤外線送信部１０ｊ（図２）が設けられ、赤外線信号は放水銃１０ｂの先端側から放射される。さらに、放水銃１０ｂの内部にはモータや偏心重りから構成される後述の振動発生装置１０ｋ（図２）が設けられている。この振動発生装置１０ｋはモータによって偏心重りを回転させることによって振動を発生させる。
車体１０ａの上には長手方向に伸縮可能な梯子１０ｄが起倒可能に取り付けられている。
車体１０ａの上面には電源スイッチ（図示せず）及び操作子１０ｆ、１０ｇ（図２）が設けられている。電源スイッチは玩具本体１０を起動させるためのスイッチである。各操作子１０ｆ、１０ｇの機能は後述する。
車体１０ａにはマイクロホン１０ｎ（図２）が設けられている。このマイクロホン１０ｎは再生機器２０からの非可聴音である音透かしを含む音響信号を拾うためのものである。また、車体１０ａには、赤色灯発光部１０ｍ及び音出力部１０ｉ（図２）が設けられている。
【００１９】
一方、再生機器２０は読取装置２０ａを備えている。読取装置２０ａは、ここでは、例えば、データ等を光学的に読み取る光ディスクドライブによって構成されている。この読取装置２０ａは再生機器本体に内蔵されていてもよい。また、光ディスクドライブによって読み取られる光ディスク（ＣＤ、ＤＶＤ、ＢＤ等）にはチャプタによって区切られた音付きの画像シーンのデータが格納されている。この再生機器２０は、読取装置２０ａによって読み取られたデータを画像や音により遊戯者が視聴できるような形で再生する。
【００２０】
次に、玩具本体１０及び再生機器２０の制御構成について説明する。
図２に示すように、玩具本体１０は、入力部である操作子１０ｆ、１０ｇ、ハンドル１０ｈ及びマイクロホン１０ｎと、赤外線送信部１０ｊと、制御部１１と、記憶部１２と、振動発生装置１０ｋと、赤色灯発光部１０ｍと、音出力部１０ｉとを備えている。そして、この玩具本体１０は、入力部からの入力を受け、赤外線送信部１０ｊから赤外線信号を送信し、或いは、振動発生装置１０ｋ、赤色灯発光部１０ｍ及び音出力部１０ｉを作動する。記憶部１２には、テレビ等で使用されている家電用再生機器の赤外線リモコン(通常の赤外線リモコン)の操作信号を学習するための学習プログラム、各部を統括制御するためのプログラム、及び、各プログラムの実行に必要な各種データが記憶されている。
【００２１】
図３に示すように、再生機器２０は、読取装置２０ａと、表示部２１と、赤外線受信部２２と、制御部２３と、音出力部２４と、記憶部２５とを備えている。この再生機器２０は、玩具本体１０からの赤外線信号を赤外線受信部２２で受けて電気信号に変換し、制御部２３で電気信号を復調してその中に含まれる操作信号を解読して解読結果に基づいてデータ等を光学的に読み取り、所定の画像を表示部２１に映し出すとともに、音出力部２４から所定の音声を出力する。また、制御部２３は、必要に応じて、音声に制御のための信号である音透かしを埋め込んで適宜に出力する。記憶部２５には、再生プログラム、各部を統括制御するためのプログラム、及び、プログラムの実行に必要な各種データが記憶されている。
【００２２】
この動作玩具１００では、再生機器２０及び玩具本体１０により所定のストーリーの各シーンが展開される。ここでは、そのうちの１つのストーリーについて説明する。
ここで説明する１つのストーリーは、「理科の授業で危機一髪」であり、再生機器２０及び玩具本体１０で図５〜図１１に示すようなシーンが展開される。
【００２３】
(１)火災発生シーン
再生装置２０付属の専用の赤外線リモコン(通常の赤外線リモコン)を操作して「理科の授業で危機一髪」のストーリーを選択すると、小学校の理科室で、実験中に、アルコールランプがテーブルから落ちて火災が発生し、児童が外に避難するシーンが展開される。このうち火災発生画面が図５に示されている。
(２) 消防車出動シーン
火災が起きたことの通報を消防署が受け、消防車が出動する途中で、前の車が消防車の走行路を塞ぐシーンが展開される。このうち消防車出動画面が図６に示されている。
(３)ボイスボタン操作催促シーン
ここでは、前の前の車が消防車の走行路を塞いでいる状況を示した画像とともに、「車で道が塞がっている。道を空けて貰うんだ。」の音声出力がなされ、その後に、「ボイスボタンを押そう」の音声出力がなされるとともに、その旨の文字が映し出される。このボイスボタン操作催促画面が図７に示されている。
(４)現場到着シーン
ボイスボタン操作催促に従って、ボイスボタンとして機能する操作子１０ｆを操作すると、玩具本体１０の音出力部１０ｉから「消防車が通ります。道を空けて下さい。」との音声が出力された後に、表示部２１の画面上で前の車が道を空け、その後、消防車が小学校に到着し、表示部２１の画面上に理科室の火災現場の画面が映し出される。
(５) ハンドル操作１催促シーン
表示部２１の画面に理科室の火災現場の画面が表示されたままで、「放射ノズルを火に向けるんだ。」の音声が出力される。そして、少し遅れて、表示部２１の画面下に、放水前の放水ノズルの先端部が映し出される。
その後、「ハンドルを真ん中にして放水するんだ。」との音声が出力されるとともに、理科室の火災現場画像に合わせてその旨の文字が映し出される。このハンドル操作１催促画面が図８に示されている。
(６)放水１シーン
遊戯者がハンドル１０ｈを真ん中まで引くと、少し経過してから表示部２１の画面上で放水ノズルから水が出て理科室内の消火活動が開始される。このとき、表示部２１の画面上で放水ノズルから水が出たタイミングに合わせて玩具本体１０の放水銃１０ｂが振動を始める。ハンドル１０ｈを真ん中に保持している間中消火活動と振動が継続する。この放水１画面が図９に示されている。やがて、理科室内の火は鎮まる。
(７) ハンドル操作２催促シーン
その後、燃え広がった校舎外側での消火活動画面が表示される。表示部２１の画面に校舎外側での消火活動画面が表示されたままで、「ハンドルを手前に引いて放水するんだ。」との音声が出力されるとともに校舎の火災現場画像に合わせてその旨の文字が映し出される。このハンドル操作２催促画面が図１０に示されている。
(８)放水２シーン
遊戯者がハンドル１０ｈを手前まで引くと、少し経過してから表示部２１の画面上で放水ノズルから勢いよく水が出て校舎の消火活動が継続される。このとき、表示部２１の画面上で放水ノズルから勢いよく水が出たタイミングに合わせて玩具本体１０の放水銃１０ｂの振動が強くなる。ハンドル１０ｈを手前に保持している間中消火活動と強振動が継続する。やがて校舎の火災が消える。
(９) ハンドル操作３催促シーン
表示部２１の画面に放水２画面が表示されたままで、「ハンドルを元に戻して放水をストップするんだ。」との音声が出力されるとともに校舎の消火画像に合わせてその旨の文字が映し出される。このハンドル操作３催促画面が図１１に示されている。
(１０)消火後シーン
遊戯者がハンドル１０ｈを先端側の元位置に戻すと、しばらくして放水ノズルの放水が停止するシーンが再生され、放水が休止したタイミングで玩具本体１０の放水銃１０ｂの振動が止む。
【００２４】
この間、玩具本体１０及び再生機器２０は次のように動作する。
最初に、玩具本体１０のハンドル１０ｈ及び操作子１０ｆ、１０ｇの機能について説明する。玩具本体１０は学習リモコンを構成している。
すなわち、玩具本体１０のハンドル１０ｈは通常の赤外線リモコンの上ボタン、左ボタン及び右ボタンに対応付けておく。具体的には、玩具本体１０では、ハンドル１０ｈを真ん中まで引いたときには通常の赤外線リモコンの右ボタンに、ハンドル１０ｈを手前まで引いたときには通常の赤外線リモコンの左ボタンに、ハンドル１０ｈを引いた後に戻したときには通常の赤外線リモコンの上ボタンに予め対応付けておく。
また、玩具本体１０の操作子１０ｆは通常の赤外線リモコンの下ボタンに、操作子１０ｇは通常の赤外線リモコンの決定ボタンに予め対応付けておく。ただし、これらの操作子１０ｆ、１０ｇは実施形態のストーリー「理科の授業で危機一髪」では使用されない。
【００２５】
再生装置２０付属の専用の赤外線リモコンを用いてストーリー「理科の授業で危機一髪」を選択すると、再生機器２０の制御部２３は、再生機器２０の表示部２１及び音出力部２４で(１)火災発生シーン〜(３)ボイスボタン操作催促シーンまでをこの順で連続的に展開させる。
【００２６】
そして、(３) ボイスボタン操作催促シーンの催促に従って操作子（ボイスボタンに対応）１０ｆを操作すると、玩具本体１０の制御部１１は、音出力部１０ｉから「消防車が通ります。道を空けて下さい。」との音声を出力させるとともに、操作子１０ｆの操作信号を変調した赤外線信号を再生機器２０に向けて送信させる。このときの音出力部１０ｉからの音声出力には音透かしを用いなくてもよい。
再生機器２０は、この赤外線信号を赤外線受信部２２で受けると当該赤外線信号を電気信号に変換し、その電気信号を復調して操作信号を取り出し、制御部２３は、読取装置２０ａによってＤＶＤディスクから当該操作信号に対応する(４)現場到着シーンのデータを読み出し、再生機器２０の表示部２１及び音出力部２４で(３)ボイスボタン操作催促シーンに代えて(４)現場到着シーンを展開させる。また、制御部２３は、表示部２１及び音出力部２４で(４)現場到着シーンに引き続いて(５)消火準備シーン及び(６)ハンドル操作１催促シーンを展開させる。
なお、(３) ボイスボタン操作催促シーンの催促に従わず、操作子１０ｆを押さない場合には、制御部２３は、(３)ボイスボタン操作催促シーンを繰り返す。シーンに無関係の操作子を操作したときは操作を無効とする。以下、同じである。
【００２７】
次に、(６)ハンドル操作１催促シーンの催促に従ってハンドル１０ｈを真ん中まで操作した場合には、制御部１１は、ハンドル１０ｈを真ん中まで操作したときの操作信号を変調した赤外線信号を再生機器２０に向けて送信させる。再生機器２０は、赤外線信号を赤外線受信部２２で受けると当該赤外線信号を電気信号に変換し、その電気信号を復調してその中に含まれる操作信号を取り出し、制御部２３は、読取装置２０ａによってＤＶＤディスクから当該操作信号に対応する(７)放水１シーンのデータを読み出し、再生機器２０の表示部２１及び音出力部２４で(６)ハンドル操作１催促シーンに代えて(７)放水１シーンを展開させる。
また、制御部２３は、(７)放水１シーンの冒頭で音透かしを埋め込んだ音を音出力部２４から出力する。玩具本体１０は、この音をマイクロホン１０ｎで拾い、制御部１１は、音の中に含まれる音透かしを抽出し、表示部２１の画面上で放水ノズルから水が出たタイミングに合わせて振動発生装置１０ｋを作動させて放水銃１０ｂを振動させる。この場合の玩具本体１０からの赤外線信号の送信と、再生機器２０からの音透かしの出力とをハンドル１０ｈを真ん中に保持している間は例えば１秒毎に繰り返して行ってもよい。また、再生機器２０からの音透かしの出力だけを、受信ミスを考慮して複数回行ってもよい。
また、制御部２３は、表示部２１及び音出力部２４で (７)放水１シーンに引き続いて(８)ハンドル操作２催促シーンを展開させる。
なお、(６)ハンドル操作１催促シーンの催促に従わず、ハンドル操作１を行わない場合には、制御部２３は、(６)ハンドル操作１催促シーンを繰り返す。
【００２８】
次に、(８)ハンドル操作２催促シーンの催促に従ってハンドル１０ｈを手前まで操作した場合には、制御部１１は、ハンドル１０ｈを手前まで操作したときの操作信号を変調した赤外線信号を再生機器２０に向けて送信させる。再生機器２０は、赤外線信号を赤外線受信部２２で受けると当該赤外線信号を電気信号に変換し、その電気信号を復調してその中に含まれる操作信号を取り出し、制御部２３は、読取装置２０ａによってＤＶＤディスクから当該操作信号に対応する(１０)放水２シーンのデータを読み出し、再生機器２０の表示部２１及び音出力部２４で(８)ハンドル操作２催促シーンに代えて(９)放水２シーンを展開させる。
また、制御部２３は、(９)放水２シーンの冒頭で音透かしを埋め込んだ音を音出力部２４から出力する。玩具本体１０は、この音をマイクロホン１０ｎで拾い、制御部１１は、音の中に含まれる音透かしを抽出し、表示部２１の画面上で放水ノズルから水が出たタイミングに合わせて振動発生装置１０ｋを作動させて放水銃１０ｂを強く振動させる。この場合の玩具本体１０からの赤外線信号の送信と、再生機器２０からの音透かしの出力とをハンドル１０ｈを手前に保持している間は例えば１秒毎に繰り返して行ってもよい。また、再生機器２０からの音透かしの出力だけを、受信ミスを考慮して複数回行ってもよい。
また、制御部２３は、表示部２１及び音出力部２４で (９)放水２シーンに引き続いて(１０)ハンドル操作３催促シーンを展開させる。
なお、(８)ハンドル操作２催促シーンの催促に従わず、ハンドル操作２を行わない場合には、制御部２３は、(８)ハンドル操作２催促シーンを繰り返す。
【００２９】
次に、(１０)ハンドル操作３催促シーンの催促に従ってハンドル１０ｈを戻した場合には、制御部１１は、ハンドル１０ｈを戻したときの操作信号を変調した赤外線信号を再生機器２０に向けて送信させる。再生機器２０は、赤外線信号を赤外線受信部２２で受けると当該赤外線信号を電気信号に変換し、その電気信号を復調してその中に含まれる操作信号を取り出し、制御部２３は、読取装置２０ａによってＤＶＤディスクから当該操作信号に対応する(１１)消火後シーンのデータを読み出し、再生機器２０の表示部２１及び音出力部２４で(１０)ハンドル操作３催促シーンに代えて(１１)消火後シーンを展開させる。
また、制御部２３は、(１１) 消火後シーンの冒頭で音透かしを埋め込んだ音を音出力部２４から出力する。玩具本体１０は、この音をマイクロホン１０ｎで拾い、制御部１１は、音の中に含まれる音透かしを抽出し、表示部２１の画面上で放水ノズルからの水が止まるタイミングに合わせて振動発生装置１０ｋの作動を停止させて放水銃１０ｂの振動を止める。
なお、再生機器２０からの音透かしの出力だけを、受信ミスを考慮して複数回行ってもよい。
また、(１０)ハンドル操作３催促シーンの催促に従わず、ハンドル操作３を行わない場合には、制御部２３は、(１０)ハンドル操作３催促シーンを繰り返す。
【００３０】
以上、本発明の実施形態について説明したが、本発明は、かかる実施形態に限定されず、その要旨を逸脱しない範囲で種々の変形が可能である。
例えば、上記実施形態では、玩具本体１０からの操作信号でシーンを替える際に音透かしによってそのシーンに同期したタイミングで放水銃１０ｂを振動又は振動停止させるようにしたが、玩具本体１０側の動作は振動動作に限定されず、発光動作、音声出力動作、臭い発生動作その他の動作であってもよい。
例えば、消防車が出動にあたり、玩具本体１０から出動ボタン等の操作信号を再生機器２０に送信するようにして、消防車が出動する際に音透かしによって同期したタイミングで赤色灯発光部１０ｍを作動させたり、音出力部１０ｉからサイレン音を出力させたりしてもよい。
【符号の説明】
【００３１】
１００  動作玩具
１０    玩具本体
１０ｆ 操作子
１０ｇ 操作子
１０ｂ 放水銃
１０ｈ ハンドル
１０ｊ 赤外線送信部
１０ｋ 振動発生装置
１０ｎ マイクロホン
１０ｊ 赤外線送信部
１１   制御部
２０   再生機器
２０ａ 読取装置
２１   表示部
２２   赤外線受信部
２３   制御部
２４   音出力部
【図１】
2019208544.tif 000003
【図２】
2019208544.tif 000004
【図３】
2019208544.tif 000005
【図４】
2019208544.tif 000006
【図５】
2019208544.tif 000007
【図６】
2019208544.tif 000008
【図７】
2019208544.tif 000009
【図８】
2019208544.tif 000010
【図９】
2019208544.tif 000011
【図１０】
2019208544.tif 000012
【図１１】
2019208544.tif 000013